(57)【要約】【課題】自転車や人体等に装着使用できる、ＬＥＤを用いた実用性に優れる点灯表示具を提供する。【解決手段】蓄電池１０と、該点灯表示具の変位を感知して出力する変位感知器１１と、変位感知器１１の出力に応答して蓄電池１０から与えられる電力により点灯されるＬＥＤ９とが備えられてなる点灯表示具。【選択図】図２
0003130051.tif 000002
【実用新案登録請求の範囲】
【請求項１】
蓄電池と、
該点灯表示具の変位を感知して出力する変位感知器と、
前記変位感知器の出力に応答して前記蓄電池から与えられる電力により点灯されるＬＥＤと、
が備えられてなることを特徴とする点灯表示具。
【考案の詳細な説明】
【技術分野】
【０００１】  この考案は、ＬＥＤを用いた点灯表示具に関する。
【背景技術】
【０００２】  例えば、自転車の車輪部分等には反射板が取り付けられ、これにより自動車の照明光等の反射認識が行えるようにして自転車の所在を確認できるようにし、自転車走行時の安全性を確保するようにしている。しかしながら、このものでは自動車等の照明が当たらない場合には反射光が得られず、自転車の所在が十分に確認できない。例えば、小形の照明ランプを複数個取り付けてこの種表示具を得ることが考えられるが、そのような構成の場合、走行時の振動によりランプが損傷する問題があり、また、組み立てに手間がかかるとともにコストの高いものとなる。
【考案の開示】
【考案が解決しようとする課題】
【０００３】  この考案では、自転車や人体等に装着使用できる、ＬＥＤを用いた実用性に優れる点灯表示具を提供することを目的とする。
【課題を解決するための手段】
【０００４】  この考案では、蓄電池と、該点灯表示具の変位を感知して出力する変位感知器と、前記変位感知器の出力に応答して前記蓄電池から与えられる電力により点灯されるＬＥＤとが備えられてなる点灯表示具を提供する。【０００５】  上記構成の点灯表示具によれば、点灯表示具が被装着物体が変位することで変位感知器の出力に応答して蓄電池から与えられる電力によりＬＥＤが点灯される。したがって、この点灯表示具が自転車や人体、さらにペット等に取り付けられることで、その走行時や歩行時にＬＥＤが点灯し、これが確認されることで走行時、歩行時の安全性が確保される。変位の無い場合にはＬＥＤは点灯せず、これにより電力の無駄な消費が無く、点灯が明るく長時間なされる。点灯は継続点灯であってもよいが、点滅点灯されることでより認識性能が向上される。蓄電池への充電は、太陽電池を設けてそれから充電を行うようにすれば充電の手間が省略されるが、非使用時に十分な明るさが得られないものでは充電器を用い行う構成としてもよい。【０００６】  この点灯表示具はその形態、取り付け部分等を工夫することで種々なものに装着使用可能であり、夜間道路工事者の衣服やヘルメット、さらにタスキ等にも便利に使用できる。
【考案の効果】
【０００７】  この考案によれば、ＬＥＤを用いた実用性に優れる点灯表示具を提供できるようになり、この点灯表示具を自転車や人体、さらにはペット等にも取り付けるようにすることで、それらの夜間の走行や歩行の安全性が高められるようになる。
【考案を実施するための最良の形態】
【０００８】  図１はこの考案の点灯表示具の実施形態の外観斜視図、図２は断面図である。【０００９】  この実施形態における点灯表示具１は、自転車の車輪のスポーク部分に装着使用するタイプのものである。点灯表示具１において、２は本体ケーシングであり、本体ケーシング２はプラスチックス製のベース体４上に透明プラスチックス製のカバー体５が装着されて構成される。カバー体５内には回路基板７が嵌め込み装着され、その表面には受光面を外方とするように太陽電池８が敷設配置され、さらにその周囲に沿う回路基板７上に多数個のＬＥＤ９のそれぞれがその出光方向を外方とするように取り付けられている。【００１０】  また、回路基板７の裏面には蓄電池１０、変位感知器１１、タイマスイッチ素子１３等の各種素子が取り付けられている。１５は自転車側への取り付け具であり、ベース体４から延び出すネジ棒１６と、そのネジ棒１６に遊嵌装着される取り付け片１７と、締め付け片１８とからなり、図２の断面に示される構成のものがベース体４の長手方向における２ケ所に設けられている。【００１１】  図３は点灯表示具１の回路構成を示す簡略図であり、変位感知器１１としては地震感知器等に使用されるものと同様の構成のものが用いられるもので、すなわち、ロート状に配置される２接点２０間に球体接点２１が矢印方向に変位可能に設けられ、球体接点２１が２接点２０を接続する状態において出力ライン１４において出力信号をタイマスイッチ素子１３に与えるようになっている。この点灯表示具１が取り付けられる自転車が通常の起立した配置状態とされる場合は、球体接点２１が接点２０を接続しない状態（図３に示す状態）となるように設計されている。タイマスイッチ素子１３は出力ライン１４から出力信号が与えられることで、所定の時間の間不連続な導通状態を維持してＬＥＤ９それぞれをその間点滅点灯させる。【００１２】  以下、上記点灯表示具１の動作説明を行う。点灯表示具１はベース体４の裏面と取り付け片１７間に車輪のスポークを位置させ、１８締め付け片を締め付けていくことで車輪に一体に取り付けられる。そして、昼間や照明が明るい場合には、太陽電池８はその表面が光を受けることにより発電し、その電力が蓄電池１０に貯められる。【００１３】  夜間の自転車走行において、車輪の回転に伴って点灯表示具１が回転変位すると、変位感知器１１の球体接点２１が２接点２０を接続して出力信号が出力され、これによりタイマスイッチ素子１３が動作してＬＥＤ９それぞれが所定の時間点滅点灯される。したがって、自転車の走行時及びその際の短時間の停車時には常にＬＥＤ９は点滅点灯状態となり、自動車の運転者がこれを認識できることで自転車走行の安全性が保たれる。夜間や照明の無い暗い環境においても、自転車が起立された静止状態に保たれている場合には変位感知器１１が出力信号を出力しないことでＬＥＤ９は点灯されず、これにより無駄な電力消費が防がれる。【００１４】  図４は点灯表示具１の他の実施形態示すもので、この実施形態のものは人の腕に装着使用され、夜間に出歩く際や健康のためのウォーキング時に使用される。このものでは本体ケーシン２グが略湾曲形態とされ、その両端に腕装着固定用のマジック���ープ（商標）５０付きのベルト５１のそれそれが取り付けられている。その他の構成及び作用は上記実施形態のものと同様である。夜間この点灯表示具１を腕に装着して歩行することで、自動車運転者がこれを認識して歩行者の安全が確保される。【００１５】  この実施形態のものをさらに大きい形態とすることで、犬の首に装着可能な点灯表示具１が得られる。
【図面の簡単な説明】
【図１】  この考案の点灯表示具の実施形態の外観斜視図
【図２】  この考案の点灯表示の実施形態の断面図
【図３】  この考案の点灯表示具の実施形態の簡略回路図
【図４】  この考案の点灯表示具の他の実施形態の外観斜視図
【符号の説明】
１    点灯表示具
９    ＬＥＤ
１０  蓄電池
１１  変位感知器
【図１】
0003130051.tif 000003
【図２】
0003130051.tif 000004
【図３】
0003130051.tif 000005
【図４】
0003130051.tif 000006
【手続補正書】
【提出日】平成18年12月1日(2006.12.1)
【手続補正１】
【補正対象書類名】実用新案登録請求の範囲
【補正対象項目名】全文
【補正方法】変更
【補正の内容】
【実用新案登録請求の範囲】
【請求項１】
蓄電池と、
前記蓄電池に電力を供給する太陽電池と、
前記蓄電池から与えられる電力により点灯されるＬＥＤと、
が備えられてなることを特徴とする点灯表示具。